(57)【要約】【課題】  取り扱いが便利であり且つ各人各様の哀悼の意を自由に表現することが可能な葬祭用装飾クロス等を提供することにある。【構成】  葬祭用装飾クロス１は、生地１０の表面上に哀悼の意が表わされた写真、絵、文字等が印刷された表示部分１１と、弔意の表意者の名前又は名称が表示された表示部分１２とを有している。このような葬祭用装飾クロス１については、人間等の棺桶に掛けて使用されたり、スタンド２を用いて葬祭用装飾クロス１を立てて会葬時の装飾として使用される。【選択図】  図２
0003137463.tif 000002
【実用新案登録請求の範囲】
【請求項１】
生地の表面上に哀悼の意が表わされた写真、絵及び／又は文字の他、当該弔意の表意者の名前若しくは名称又はこれらに準じたものが表示された表示部分を有したことを特徴とする葬祭用装飾クロス。
【請求項２】
請求項１記載の葬祭用装飾クロスにおいて、前記生地が正方形であり、前記表示部分が前記生地の対角線に沿って又は平行に配置されていることを特徴とする葬祭用装飾クロス。
【請求項３】
請求項１又は２の葬祭用装飾クロスを立てるためのスタンドであって、前記葬祭用装飾クロスが広げた状態で表面上に掛けられるベース部と、前記ベース部の表面を略前方向に向けて保持する保持部と、前記ベース部を約１〜２ｍの高さ位置で支持するために上端側に前記保持部が接続された脚部とを備えたことを特徴とするスタンド。
【請求項４】
請求項３記載のスタンドにおいて、前記ベース部は湾曲可能な弾性を有する薄板であり、前記保持部は、高さ方向に間隔を開けて水平方向に平行配置された直線状の上ホルダー部及び下ホルダー部を有し、上ホルダー部には前記ベース部の上端部が葬祭用装飾クロスの一部分とともに入り込み可能な上溝が長さ方向に設けられる一方、下ホルダー部には前記ベース部の下端部が入り込み可能な下溝が長さ方向に設けられており、下ホルダー部が上ホルダー部に比べて前方向に張り出して配置され、これに伴って前記ベース部が湾曲して斜め上の方向に向く程度に前記上溝が下溝に比べて後方向に位置ずれをしていることを特徴とするスタンド。
【請求項５】
請求項４記載のスタンドにおいて、前記ベース部の上縁部分が裏側に折り曲げられ且つ当該ベース部の上端部に丸みが付けられていることを特徴とするスタンド。
【請求項６】
請求項４記載のスタンドにおいて、前記上ホルダー部及び／又は下ホルダー部が前記脚部の先端側に高さ調整可能に接続されていることを特徴とするスタンド。
【請求項７】
請求項４記載のスタンドにおいて、前記上ホルダー部の上溝及び下ホルダー部の下溝における長さ方向に直角な幅方向の各間隔が調整可能であることを特徴とするスタンド。
【請求項８】
請求項３記載のスタンドにおいて、前記ベース部の表面の横寸法が前記葬祭用装飾クロスの表示部分の横幅に比べて大きく且つ当該葬祭用装飾クロスの横幅に比べて小さいことを条件とし、前記ベース部の表面上に掛けられた葬祭用装飾クロスのうちベース部の両側からはみ出た両側部分を前記ベース部に裏側に位置する前記脚部又は保持部の一部分に括り付けるためのクリップ部を備えることを特徴とするスタンド。
【考案の詳細な説明】
【技術分野】
【０００１】
本考案は、主として会葬時に装飾として使用される新規な葬祭用装飾クロス及びこれに使用されるスタンドに関する。
【背景技術】
【０００２】
故人と深い関わりのあった人が生前の故人を忍び、哀悼の意を込めて供花や弔花等が葬式の主催者に送られることが広く行なわれている。供花や弔花等にはその送り主の名前等を記した札が付されているのが一般的である（例えば、特許文献１等）。
【０００３】
【特許文献１】実用新案登録第３０２１６３７号公報
【考案の開示】
【考案が解決しようとする課題】
【０００４】
しかしながら、供花等と札とが別々であることから、主催者からすれば取り扱いが不便であり煩わしいという欠点があった。また、札に名前や短い文章を書き込むだけでは各人各様の哀悼の意を自由に表現することが困難という別の欠点もある。もっとも、供花等以外の方法であればこのような問題が解消され得るものの、弔事に関しては数多くのしきたりが今なお存在しており、これに反したり、葬儀の荘厳を損なう方法では社会全体として決して受け入れられない。
【０００５】
本考案は上記した背景の下で創作されたものであって、取り扱いが便利であり且つ各人各様の哀悼の意を自由に表現することが可能な葬祭用装飾クロス及びこれに使用されるスタンドを提供することにある。
【課題を解決するための手段】
【０００６】
本考案に係る葬祭用装飾クロスは、生地の表面上に哀悼の意が表わされた写真、絵及び／又は文字の他、当該弔意の表意者の名前若しくは名称又はこれらに準ずるものが表示された表示部分を有している。具体的には、生地に関しては、正方形であり、表示部分が生地の対角線に沿って又は平行に配置すると良い。
【０００７】
このような葬祭用装飾クロスによる場合、その生地の表面上に哀悼の意を表した写真等と弔意の表意者の名前等との双方を含めて印刷されていることから、供花等に比べて取り扱いが便利である。また、生地の面積が大きく、生地の表面上に写真や絵等を印刷することも容易であることから、各人各様の哀悼の意を自由に表現することが可能になる。しかも人間等の棺桶に掛けて使用する等したとしても、弔事に関するしきたりに大きく反したり、葬儀の荘厳を損なうことがなく、一般社会に広く受け入られる。
【０００８】
本考案に係るスタンドは、葬祭用装飾クロスを立てて使用されるものであって、葬祭用装飾クロスが広げた状態で表面上に掛けられるベース部と、ベース部の表面を略前方向に向けて保持する保持部と、ベース部を約１〜２ｍの高さ位置で支持するために上端側に保持部が接続された脚部とを備えている。
【０００９】
このようなスタンドによる場合、葬祭用装飾クロスを立てて少なくとも表示部分が表示されることから、供花等と同様に会葬時の装飾となるだけでなく、供花等とは異なり、故人の人柄や思い出等を会葬出席者に知ってもらうことが可能になり、非常に便利である。
【００１０】
好ましくは、ベース部については、湾曲可能な弾性を有する薄板とし、保持部については、高さ方向に間隔を開けて水平方向に平行配置された直線状の上ホルダー部及び下ホルダー部を有したものとする。上ホルダー部にはベース部の上端部が棺掛けの一部分とともに入り込み可能な上溝が長さ方向に設けられる一方、下ホルダー部にはベース部の下端部が入り込み可能な下溝が長さ方向に設けられており、下ホルダー部が上ホルダー部に比べて前方向に張り出して配置され、これに伴ってベース部が湾曲して斜め上の方向に向く程度に上溝が下溝に比べて後方向に位置ずれをさせるようにすると良い。
【００１１】
このようなスタンドによる場合、ベース部を湾曲させて、ベース部の下端部を下ホルダー部の下溝に入れるとともにベース部の上端部を上ホルダー部の上溝に入れると、ベース部がその弾性力により上ホルダー部と下ホルダー部との間の位置に取り付けられる。その際、葬祭用装飾クロスをベース部に掛けて、ベース部の上端部を葬祭用装飾クロスの一部分とともに上溝に入り込むようにすると、葬祭用装飾クロスがベース部に取り付けられる。この状態でベース部を再び湾曲させ、ベース部を上ホルダー部と下ホルダー部との間の位置から外すと、葬祭用装飾クロスがベース部から取り外される。
【００１２】
よって、特別な固定部品を用いることなく葬祭用装飾クロスを簡単に取り付けることができ、取り外しも簡単に行なうことが可能になる。また、葬祭用装飾クロスが斜め上の方向に湾曲してベース部に取り付けられることから、葬祭用装飾クロスが人の目の高さより低い位置にあっても表示部分が見難くなるようなことがない。
【００１３】
より好ましくは、ベース部の上縁部分が裏側に折り曲げられ且つ当該ベース部の上端部に丸みを付けるようにすると良い。
【００１４】
このようなスタンドによる場合、葬祭用装飾クロスの一部がベース部の上端部と上ホルダー部の上溝との間に挟まれても、挟まれた部分が傷付き難くなる。
【００１５】
好ましくは、上ホルダー部及び／又は下ホルダー部が脚部の先端側に高さ調整可能に接続されるようにすると良い。
【００１６】
このようなスタンドによる場合、上ホルダー部と下ホルダー部との間の間隔が調節可能であることから、多種多様なサイズのベース部に対応可能であり、これに伴って異なるサイズの葬祭用装飾クロスにも対応可能となる。
【００１７】
好ましくは、上ホルダー部の上溝及び下ホルダー部の下溝における長さ方向に直角な幅方向の各間隔が調整可能なようにすると良い。
【００１８】
このようなスタンドによる場合、ベース部の取り付け／取り外しが簡単になり、ひいては葬祭用装飾クロスの取り付け／取り外しも簡単になる。
【００１９】
好ましくは、ベース部の表面の横寸法が棺掛けの表示部分の横幅に比べて大きく且つ葬祭用装飾クロスの横幅に比べて小さいことを条件とし、ベース部の表面上に掛けられた葬祭用装飾クロスのうちベース部の両側からはみ出た両側部分をベース部に裏側に位置する脚部又は保持部の一部分に括り付けるためのクリップ部を備えるようにすると良い。
【００２０】
このようなスタンドによる場合、ベース部の横寸法が棺掛けに比べて小さく、葬祭用装飾クロスのうちベース部の両側からはみ出た両側部分がベース部に裏側に括り付けられることから、全体の横幅が小さく、複数のスタンドを並べる際に便利である。また、その括り付けにクリップ部を用いていることから、葬祭用装飾クロスの取り付け／取り外しが容易であり、この点でも便利である。
【考案を実施するための最良の形態】
【００２１】
以下、本考案の実施の形態を図面を参照して説明する。図１は葬祭用装飾クロスが取り付けられた状態を示すスタンドの正面図、図２は葬祭用装飾クロスの平面図、図３は葬祭用装飾クロスが取り付けられた状態を示すスタンドの部分裏面図、図４はスタンドの斜め後側から見た斜視図、図５はスタンドの部分側面図である。
【００２２】
ここに掲げる葬祭用装飾クロス１は、図１及び図２に示すように生地１０の表面上に哀悼の意が表わされた写真、絵、文字等の表示部分１１と、弔意の表意者の名前若しくは名称又はこれらに準ずるものが表示された表示部分１２とを有している。
【００２３】
なお、図１中に示す表示部分１１、１２はその領域を便宜的に示したものであり、その内容については図示省略されている。
【００２４】
生地１０については、正方形の布を用いている。図２中ａ、ｂは生地１０の対角線を示している。生地１０の表面上にはプリンタを用いてインクを転写して表示部分１１、１２が作成されている。なお、本実施形態においては、表示部分１１、１２と一緒に生地１０の表面上に細かい柄等を全面的に印刷している。
【００２５】
表示部分１１、１２については、生地１０の対角線ａに沿って、対角線ａに平行に各々配置されている。即ち、生地１０の表面上の中央部１１２、下側部１１３が同様に表示部分１１、１２となっており、これ以外の対角線ａ上の上側部１１１、対角線ｂ上の左側部１１４及び右側部１１５が何れも空き部分となっている。
【００２６】
表示部分１１の内容の例としては、故人の写真、般若心経の文字、聖母マリアの絵、故人の趣味等に関連した写真等がある。表示部分１２の内容の例としては、弔意表意者の名前又は名称の文字、これらに準ずる略称の文字、家紋の図柄等がある。なお、図２に示す例は神式用であり、表示部分１１には聖母マリアの像の写真、表示部分１２ にはアルファベットの文字と十字のマークである。このような表示部分１１の近くに故人の名前等を配置するようにしたも良い。
【００２７】
本実施形態においては、葬祭用装飾クロス１を立てて使用する場合、故人の棺桶に掛けて使用するだけでなく、図１に示すスタンド２を用いて立て、会葬時の装飾としても使用している。
【００２８】
即ち、スタンド２は、葬祭用装飾クロス１を広げた状態で立てるのに使用されるものであって、図１、図３、図４及び図５に示すように葬祭用装飾クロス１が広げた状態で表面上に掛けられるベース部２１と、ベース部２１の表面を略前方向に向けて保持する保持部２２と、ベース部２１を約１〜２ｍの高さ位置で支持するために上端側に保持部２２が接続された脚部２３と、ベース部２１の表面上に掛けられた葬祭用装飾クロス１のうちベース部２１の両側からはみ出た両側部分を脚部２３の一部分（ポール２３２）に括り付けるためのクリップ部２４とを備えている。
【００２９】
脚部２３については、ベース部２１及び保持部２２を中空支持するためのスタンドであって、９０度ピッチ間隔の４本の直線状の脚２３１１が開閉可能になっているＸ脚２３１と、先端側に保持部２２が接続され、後端側にＸ脚２３１が取り付けられた高さ調整可能な２段式のポール２３２とを備えている。図中２３２１はポール２３２の中央部分に設けられた高さ調整用のネジである。
【００３０】
ベース部２１については、図４及び図５に示すように湾曲可能な弾性を有した硬質塩ビ製の長方形の薄板を用いている。ベース部２１の上縁部分２１１が裏側に鋭角的に折り曲げられており、ベース部２１の上端部２１２の丸みが付けられている。ベース部２１の下端部２１３には丸みが特に付けられていない。
【００３１】
また、葬祭用装飾クロス１のサイズは多種多様であるので、これに合わせてベース図２１についても葬祭用装飾クロス１に応じてサイズの異なるものが予め用意されている。本実施形態では、ベース部２１の表面の横寸法が葬祭用装飾クロス１の表示部分１１、１２の横幅ｔ１（図２参照）に比べて大きく且つ葬祭用装飾クロス１の横幅ｔ２（図２参照）に比べて小さいものを使用している。
【００３２】
保持部２２は、直線状の上ホルダー部２２１と、上ホルダー部２２１と対になった直線状の下ホルダー部２２２と、先端側に上ホルダー部２２１の中央部に直角に取り付けられ且つ後端側にポール２３２の先端部が挿入される円形穴２２３１が形成された環状の上アーム部２２３と、先端側に下ホルダー部２２２の中央部に直角に取り付けられ且つ後端側にポール２３２の先端部が挿入される円形穴２２４１が形成された長方形の板状の下アーム部２２４と、上アーム部２２３の後方側面に取り付けられ且つ先端がポール２３２の外周面に当接可能なネジ部２２５と、下アーム部２２４の後方側面に取り付けられ且つ先端がポール２３２の外周面に当接可能なネジ部２２６とを備えている。
【００３３】
上ホルダー部２２１と下ホルダー部２２２とは、上アーム部２２３及び下アーム部２２４を介してポール２３２の先端側に保持され、高さ方向に間隔を開けて水平方向に平行配置されている。また、上ホルダー部２２１及び下ホルダー部２２２がポール２３２の先端側に高さ調整可能に接続されている。即ち、ネジ部２２５、２２６を用いると、上ホルダー部２２１、下ホルダー部２２２を独立して高さ調整することができ、これを通じて上ホルダー部２２１と下ホルダー部２２２との間の間隔を調整することが可能となっている。
【００３４】
上アーム部２２３と下アーム部２２４とを対比すると、図５に示すとおり下アーム部２２４の方が上アーム部２２３に比べて長くなっている。この関係で、下ホルダー部２２２が上ホルダー部２２１に比べて前方向に張り出して配置されている。
【００３５】
上ホルダー部２２１の下側には、ベース部２１の上端部２１２が葬祭用装飾クロス１の一部分（上側部１１１の一部）とともに入り込み可能な上溝２２１４が長さ方向に設けられる一方、下ホルダー部２２２の上側には、ベース部２１の下端部２１３が入り込み可能な下溝２２２４が長さ方向に設けられている。上記したように下ホルダー部２２２が上ホルダー部２２１に比べて前方向に張り出して配置されていることから、図５に示すようにベース部２１が湾曲して斜め上の方向に向く程度に上溝２２１４が下溝２２２４に比べて後方向に位置ずれをしている。
【００３６】
上ホルダー部２２１は、上アーム部２２３の先端側に取り付けられた下側Ｌアングル部材２２１１と、下側アングル部材２２１１の上に重ねてスライド可能に設けられた上側Ｌアングル部材２２１２と、上側Ｌアングル部材２２１２と下側Ｌアングル部材２２１１とのスライド長を調整可能な合計２個の締結具２２１３とを備えている。
【００３７】
締結具２２１３は、金属製ネジと樹脂製のナットとを組み合わせたものであって、上側Ｌアングル部材２２１２の上面に形成された長穴（図示省略）及び下側Ｌアングル部材２２１１の上面に形成された貫通穴（図示省略）に挿入して取り付けられている。
【００３８】
上側Ｌアングル部材２２１１と下側Ｌアングル部材２２１２との間（長さ方向に直角な幅方向の間隔）が上溝２２１４であり、締結具２２１３を用いて上溝２２１４の幅方向の間隔がスライド調整可能になっている。
【００３９】
下ホルダー部２２２は、下アーム部２２４の先端側に取り付けられた下側Ｌアングル部材２２２１と、下側アングル部材２２２１の上に重ねてスライド可能に設けられた上側Ｌアングル部材２２２２と、上側Ｌアングル部材２２２２と下側Ｌアングル部材２２２１とのスライド長を調整可能な合計２個の締結具２２２３とを備えている。
【００４０】
締結具２２２３は、金属製ネジと樹脂製のナットとを組み合わせたものであって、上側Ｌアングル部材２２２２の上面に形成された長穴（図示省略）及び下側Ｌアングル部材２２２１の上面に形成された貫通穴（図示省略）に挿入して取り付けられている。
【００４１】
上側Ｌアングル部材２２２１と下側Ｌアングル部材２２２２との間（長さ方向に直角な幅方向の間隔）が下溝２２２４であり、締結具２２２３を用いて下溝２２２４の幅方向の間隔がスライド調整可能になっている。
【００４２】
クリップ部２４は、図３に示すようにポール２３２の上側部分に装着可能な目玉クリップであって、ベース部２１の表面上に掛けられた状態の葬祭用装飾クロス１の左側部１１４、右側部１１５をポール２３２に両側から括り付けるために使用している。
【００４３】
このように構成されたスタンド２の使用方法について説明する。まず、Ｘ脚２３１を開状態にして脚部２３を水平な場所に置く。そして、下アーム部２２４をポール２３２の上端より約４０ｃｍ下方の位置に仮固定し、上ホルダー部２２１の上溝２２１４の間隔を最大幅（約１．５ｃｍ）とし、上アーム部２２３をポール２３２の上端に固定する。その際、上ホルダー部２２１と下ホルダー部２２２とが平行となり、ベース部２１が上ホルダー部２２１に比べて２〜３ｃｍ高くなるようにする。
【００４４】
その後、葬祭用装飾クロス１のサイズに合ったベース部２１を手に持ち、下ホルダー部２２２の下溝２２２４にベース部２１の下端部２１３を入れ、下溝２２２４の間隔を調節し、上側Ｌアングル部材２２２２と下側Ｌアングル部材２２２１との間にベース部２１の下端部２１３を挟み込んで固定する。この状態では、図４及び図５に示すようなベース部２１が略垂直に立っている。
【００４５】
そして、葬祭用装飾クロス１を手に持ち、ベース部２１に掛ける。この際、葬祭用装飾クロス１の表示部分１１がベース部２１の表面上の中央部分に来るように位置決めする。
【００４６】
この状態で、図５に示すようにベース部２１を湾曲させ、ベース部２１の上端部２１２を上ホルダー部２２１の上溝２２１４に入れ、ベース部２１から手を離すと、ベース部２１がその弾性力により上ホルダー部２２１と下ホルダー部２２２との間に仮止めされる。その後、上溝２２１４の間隔を調節し、上側Ｌアングル部材２２１２と下側Ｌアングル部材２２１１との間にベース部２１の下端部２１２を挟み込んで固定する。この状態では、図５中破線で示すようにベース部２１が湾曲し斜め上の方向に向いている。
【００４７】
そして、ベース部２１の表面上に掛けられた葬祭用装飾クロス１のうちベース部２１の両側からはみ出た両側部分（左側部１１４及び右側部１１５）を図３に示すようにポール２３２の後方に廻し、やや張り気味にしながらクリップ部２４を用いてポール２３２に括り付けるようにする。もし、葬祭用装飾クロス１の表示部分１１等の高さ位置を調整する必要があれば、ポール２３２の高さ調節を行なうようにすると良い。
【００４８】
なお、スタンド２から葬祭用装飾クロス１を外すには上記とは全く逆に行なうようにする良い。即ち、クリップ部２４をポール２３２から外し、その後、上溝２２１４を元の間隔に戻し、ベース部２１を湾曲させ、その上端部２１２を上ホルダー部２２１の上溝２２１４から外して、葬祭用装飾クロス１がベース部２１に掛けられた状態に戻すようにする。
【００４９】
上記した葬祭用装飾クロス１の利用方法としては、(1) スタンド２を用いて葬儀会場に立てて展示、(2) スタンド２を用いることなく葬儀会場内外の壁面に取り付けたり又は天井から吊り下げて展示、(3) 棺桶に掛けて使用、(4) 副葬品として棺の中に入れて使用、(5) 葬儀後、法要の際に使用等がある。葬祭用装飾クロス１の製造や葬儀会場への発送については、専門業者等が葬儀参列者等の要請を受けて行なわれるのが一般的である。この場合、葬儀参列者等により、表示部分１１、１２の内容だけなく、その大きさ、色、及び生地１０に対する配置関係、生地１０の色及び柄等が自由に選択可能にすると良い。なお、葬祭用装飾クロス１をペットの葬儀等にも同様に使用されることがあり得る。
【００５０】
このように葬祭用装飾クロス１による場合、生地１０の面積が大きく、生地１０の表面上にプリンタ等を用いて写真、絵等、文字等を一度に印刷することが容易であることから、各人各様の哀悼の意を自由に表現することが可能になり、供花等に比べて取り扱いが便利である。特に、棺掛けのように人間等の棺桶に掛けて使用したとしても、弔事に関するしきたりに大きく反したり、葬儀の荘厳を損なうこともなく、一般社会に広く受け入られる。
【００５１】
スタンド２については、葬祭用装飾クロス１を立てて少なくとも表示部分１１、１２が表示されることから、供花等と同様に会葬時の装飾となるだけでなく、供花等とは異なり、故人の人柄や思い出等を会葬出席者に知ってもらうことが可能になり、非常に便利である。
【００５２】
また、葬祭用装飾クロス１を傷付けることなくスタンド２に簡単に取り付けることができ、その取り外しも簡単である。そして、葬祭用装飾クロス１が斜め上の方向に湾曲してベース部２１に取り付けられることから、葬祭用装飾クロス１が人の目の高さより低い位置にあっても表示部分１１、１２が見難くなることもない。
【００５３】
しかも葬祭用装飾クロス１のうちベース部２１の両側からはみ出た左側部１１４及び右側部１１５がベース部２１に裏側に括り付けられることから、全体の横幅が小さく、葬儀会場に複数のスタンド２を並べる際に便利である。その括り付けにクリップ部２４を用いていることから、この面でも葬祭用装飾クロス１の取り付け／取り外しが容易となる。
【００５４】
なお、本考案に係る葬祭用装飾クロスは、生地の材質、形状及び向き、表示部分の表現形式、数及び配置、印刷方法等が上記実施形態に限定されない。例えば、生地の材質については、紙又は織物等、生地の形状については、略正方形、ひし形又はペナント形等、生地の向きについては、上辺及び下辺が平行方向に向いた縦置きであっても良い。また、表示部分の表示形式については、写真、絵、メッセージ文又はこれらの組み合わせでもって哀悼の意を表現しても良いし、文字以外で弔意表意者の名前等を表現しても良い。カラーやモノクロ等の区別も問われない。表示部分の配置については、葬祭用装飾クロスの中央部分ではなく各辺に近い位置であったり、水平方向に対して斜めに配置してもかまわない。表示部分の印刷方法については、生地の表面上に別に印刷されたシートを貼り付けても良く、生地等にインクを直接に刷り移すという本来の方法だけでなく熱転写等の印刷に類似した技術形態も対象に含まれる。
【００５５】
本考案に係るスタンドは、葬祭用装飾クロスを広げた状態で立てることが可能な構成である限り、上記実施形態に限定されず、どのような設計変更を行なっても良い。例えば、ベース部については、葬祭用装飾クロスを掛けることが可能である構成である限り、材質や形状が問われず、折り曲げのない平板のアルミ等を使用しても良い。保持部については、ベース部の表面を略前方向に向けて保持する構成である限り、どのような種類のものを用いても良い。脚部については、ベース部を約１〜２ｍの高さ位置で支持するために上端側に保持部が接続された構成である限り、どのような種類のものを用いても良く、Ｘ形ではなく、丸形、Ｈ形のものを用いてもかまわない。また、葬祭用装飾クロスをスタンドの脚部の一部分（本実施形態ではポール２３２の先端部）ではなく、保持部の一部分（例えば、上ホルダー部２２１又は下ホルダー部２２２）に括り付ける形態であっても良い。さらに、ベース部に掛けて取り付けるに際してもクリップ部を用いることなく、ピン等を用いて留める形態であっても良い。
【図面の簡単な説明】
【００５６】
【図１】本考案の実施の形態を説明するための図であって、葬祭用装飾クロスが取り付けられた状態を示すスタンドの正面図である。
【図２】同葬祭用装飾クロスの平面図である。
【図３】同葬祭用装飾クロスが取り付けられた状態を示す同スタンドの部分裏面図である。
【図４】同スタンドの斜め後側から見た斜視図である。
【図５】同スタンドの部分側面図である。
【符号の説明】
【００５７】
１  葬祭用装飾クロス
１０  生地
１１，１２  表示部分
１１１  上側部
１１２  中央部
１１３  下側部
１１４  左側部
１１５  右側部
２  スタンド
２１  ベース部
２１２  上端部
２１３  下端部
２２  保持部
２２１  上ホルダー部
２２１４  上溝
２２２  下ホルダー部
２２２４  下溝
２２３  上アーム部
２２４  下アーム部
２２５，２２６  ネジ部
２３  脚部
２３１  Ｘ脚
２３２  ポール
２４  クリップ部
【図１】
0003137463.tif 000003
【図２】
0003137463.tif 000004
【図３】
0003137463.tif 000005
【図４】
0003137463.tif 000006
【図５】
0003137463.tif 000007